(57)【要約】      （修正有）【課題】既設の蛇口に節水具を取り付けることができ、さらに水の供給を止めることなく設置作業を行うことができ、かつ簡単な構造で安定した蛇口用節水具を提供する。【解決手段】有底円筒状で、側面或いは底面に複数の貫通穴１０を有し、有底円筒の開放端に鍔９を有し、蛇口の自在管５に対し鍔９が水流の上流側になるように取り付けられるようにし、これによって不用意に多量の水を出すことがないように構成する。【選択図】図４
0003149920.tif 000002
【実用新案登録請求の範囲】
【請求項１】
有底円筒状で、側面或いは底面に複数の貫通穴を有し、有底円筒の開放端に鍔を有し、蛇口の自在管に対し鍔が水流の上流側になるように取り付けられるようにした蛇口用節水具。
【請求項２】
鍔の外径は蛇口の自在管の直径と一致するものである請求項１記載の蛇口用節水具。
【請求項３】
側面は開放端から底に向かって次第に外径が小さくなるようにした請求項１記載の蛇口用節水具。
【請求項４】
側面は開放端から底に向かって次第に外径が小さくなるとともに、途中に段差を設けた請求項１記載の蛇口用節水具。
【考案の詳細な説明】
【技術分野】
【０００１】  本考案は蛇口用節水具に関し、特に水の遮断をすることなく既設の蛇口に取り付け可能で、安定した節水効果を生じるものを提供する。
【背景技術】
【０００２】  近年、大都市への人口集中や生活様式の近代化に伴って都市の水使用量が増加傾向にあり、反対に水資源の枯渇が進行し水の節約は急務になってきた。このため多くの節水具が提案されている。特に地球の温暖化に伴い、気象が急激に変動し地域によっては河川の水量が著しく減少するという事態も発生している。【０００３】  このような観点からできるだけ蛇口用節水具の普及を促進することが望ましく、できるだけ設置の容易で安定した節水効果を生じるものの開発が求められている。このような技術として例えば特許文献１に開示されたものがある。
【特許文献１】特許出願公開平成９年第２９１５７３号公報
【考案の開示】
【考案が解決しようとする課題】
【０００４】  特許文献１に開示されたものは段落０００２に従来技術として、首振り蛇口のパイプ継ぎ手部分に装着する節水具が開示されている。このような節水具は、蛇口を閉じた状態で装着可能なため、装着作業に際して元栓を閉じる事なく行う事ができ、極めて有効なものである。【０００５】  しかし、このような節水具のもつ問題点として段落０００３から段落０００７に開示されるように、蛇口本体と首振りパイプとの間に段差がない場合に節水具を装着すると、節水具が振動したり反転したりして安定しないと指摘している。【０００６】  この問題点に対し、特許文献１に記載のものはバネによって節水具を安定した状態に装着しようとしたものである。【０００７】  しかし特許文献１に記載のものは構造が複雑であり、コストが高くなり、節水による経済的節約効果を得るまでに時間が掛かるため普及が容易でないという問題がある。【０００８】  また地下水の供給に使用する蛇口に用いると、地下水の成分によっては金属を腐食させる場合があり、このような場合には細い金属線で構成されるバネを有すると、バネが容易に腐食して機能を発揮できなくなる場合がある。【０００９】  本考案は既設の蛇口に節水具を取り付けることができ、さらに水の供給を止めることなく設置作業を行うことができ、かつ簡単な構造で安価で、しっかりと安定した蛇口用の節水具を提供しようとするものである。
【課題を解決するための手段】
【００１０】  本件考案は以上のような課題を解決するため、有底円筒状で、側面か底面に複数の貫通穴を有し、有底円筒の開放端に鍔を有し、蛇口の自在管に対し鍔が水流の上流側になるように取り付けられるようにした。
【考案の効果】
【００１１】  本考案の蛇口用節水具は上記の如く構成したので、単に蛇口の自在管を外して本考案の蛇口用節水具を挿入し、再び自在管を取り付けることによって蛇口に装着できるため、極めて簡単に装着することができる。しかも水道の元栓を閉鎖することなく、他の水栓から水の供給を維持しながら取り付け工事を行うことができる。【００１２】  また本考案の蛇口用節水具は鍔が蛇口本体と自在管との間に挟まれて固定されるため、しっかりと安定した状態であり、水流によって動くようなことはない。そして底に向かって直径が小さくなっているため、水流に乱流が発生することがなく、万一、鍔の固定が外れても自在管の中で暴れることがなく、騒音を発生させるようなこともない。【００１３】  さらにバネのような細い部品で構成されず、全体として一体構造であるため、水質が悪くても長時間にわたって使用できる。
【考案を実施するための最良の形態】
【００１４】  本考案の請求項１に記載の考案は、有底円筒状で、側面或いは底面に複数の貫通穴を有し、有底円筒の開放端に鍔を有し、蛇口の自在管に対し鍔が水流の上流側になるように取り付けられるようにしたため、水の供給を止めることなく設置作業を行うことができ、かつ簡単な構造で安価で安定して節水を行う作用を有する。
【実施例１】
【００１５】  以下本考案の蛇口用節水具の実施例について図に沿って詳細に説明する。図２において１は蛇口本体であり、ハンドル軸２が螺合している。またハンドル軸２の上端にはハンドル３が螺子４で取り付けられている。【００１６】  ５は自在管であり、蛇口本体１に固定ナット６で回転自在に取り付けられている。また自在管５はパッキング６によって、蛇口本体１と水密がはかられている。【００１７】  図１において７は実施例１の蛇口用節水具であり、ステンレスなどの腐食に強く強度も確保できる材料によって作られている。蛇口用節水具７は一端に底８を有する有底円筒状であり、他端に鍔９を有している。【００１８】  また側面には複数の開口１０を有し、この開口１０の開口面積によって蛇口用節水具７を通過する水量が決定される。よって節水の度合いに応じて開口面積を設定することができる。【００１９】  このように構成された蛇口用節水具７は、次の操作によって蛇口本体１に取り付けられる。先ず蛇口本体１のハンドル３を操作して、蛇口が閉鎖されている状態にする。次に、固定ナット６をスパナなどの工具を使って蛇口本体１より取り外す。続いて自在管５を下に引き下げ、蛇口本体１より取り外す。これまでの操作で蛇口本体１の下の開口が開放された状態となる。【００２０】  そこで蛇口用節水具７の鍔９を上にして、蛇口本体１の開口より挿入する。続いて蛇口用節水具７が落ちないように指で押さえながら、自在管５を蛇口本体１に挿入し、続いて固定ナット６を自在管５の先端より通して、蛇口本体１に締め付ける。【００２１】  図３に蛇口本体１と自在管５の接合部の拡大断面を示す。自在管５の上端には抜止環１１が嵌められ、この抜止環１１を固定ナット６が引っ掛けることによって、自在管５は回転自在に蛇口本体１に取り付けられる。【００２２】  図４に蛇口用節水具７が蛇口本体１と自在管５の間に装着された状態を示す。蛇口用節水具７の鍔９は蛇口本体１の下端開口と、自在管５の上端との間にしっかりと挟まれ、装着される。【００２３】  この状態で使用者がハンドル３を操作し、ハンドル軸２を上げるとコマ５も上昇して蛇口が開けられる。この時に、ある程度ハンドル軸２が上がると、図４に示すように蛇口用節水具７が装着されているため、水は蛇口用節水具７の開口１０を通過して供給される。つまり水の通過面積が縮小されて水の流量が制限され、不用意に多量の水が蛇口より供給されることがなく、節水を期待することができる。【００２４】  そして、本考案の蛇口用節水具７は鍔９がしっかりと蛇口本体１と自在管５との間に挟まれているため、水流によって移動したり、がたついたりすることがなく、安定して機能することができる。【００２５】  さらに本考案の蛇口用節水具７は開口１０の直径や数を設定することによって所望の水量を設定することが可能で、蛇口の設置されている場所の要請に応じて、水量を適切にすることが可能である。【００２６】  以上の例では蛇口用節水具７として図１に示すように、鍔９の下部の断面が台形の有底円筒状のもの、つまり水の下流に向けて細くなる形状のものを示したが、図５に示すように鍔９の下がストレートの断面を有する有底円筒状のものであってもよい。【００２７】  ある���は、蛇口用節水具７として図６に示すように、鍔９の下が段差を有する有底円筒状のものであってもよい。また、図７に示すように開口１０の位置として、側面ではなく底に設けることも可能である。【００２８】  このように本考案の蛇口用節水具７によると水道の元栓を締めることなく、工事対象の蛇口以外の機器の動作を止めることなく、簡単に工事を行うことができる。さらに、特殊な工具なども必要でなく簡単な操作で蛇口用節水具７の取り付けを行うことができる。
【産業上の利用可能性】
【００２９】  本考案は、既設の蛇口に節水具を取り付けることができ、さらに水の供給を止めることなく設置作業を行うことができ、かつ簡単な構造の蛇口用節水具を提供する。
【図面の簡単な説明】
【００３０】
【図１】  本考案の蛇口用節水具の実施例を示す断面図である。
【図２】  本考案の蛇口用節水具が取り付けられる蛇口の１例を示す側面図である。
【図３】  蛇口の部分拡大断面図である。
【図４】  本考案の蛇口用節水具が取り付けられた蛇口の部分拡大断面図である。
【図５】  本考案の蛇口用節水具の実施例２の側面図である。
【図６】  本考案の蛇口用節水具の実施例３の側面図である。
【図７】  本考案の蛇口用節水具の実施例４の斜視図である。
【符号の説明】
【００３１】１  蛇口本体
２  ハンドル軸
３  ハンドル
４  螺子
５  自在管
６  固定ナット
７  蛇口用節水具
８  底
９  鍔
１０  開口
１１  抜止環
【図１】
0003149920.tif 000003
【図２】
0003149920.tif 000004
【図３】
0003149920.tif 000005
【図４】
0003149920.tif 000006
【図５】
0003149920.tif 000007
【図６】
0003149920.tif 000008
【図７】
0003149920.tif 000009